(57)【要約】【課題】光学部材に移動止を有することにより、支持部材及び押圧部材の光学部材厚方向の長さを小さくして、薄型化及び省スペース化が図れるバックライト装置及び表示装置を提供する。【解決手段】液晶パネル１の背面側に配置される冷陰極管８と、積層された光学シート３１乃至３４及び拡散板３５からなり、前記冷陰極管８及び前記液晶パネル１の間に配置されるべき光学部材３と、該光学部材３の周縁部を前記冷陰極管８側から支持する光学部材受部６１と、該光学部材受部６１と共に前記光学部材３を挟持するために、該光学部材３の周縁部を押圧する光学部材押え７とを備えるバックライト装置２、及びこれを備える表示装置。光学部材３は、光学シート３１の周縁部を冷陰極管８側へ略垂直に折り曲げて移動止３１１としてあり、該移動止３１１が、光学部材受部６１と略垂直をなす制限部６２と対向する。【選択図】図３
2009026611.tif 000002
【特許請求の範囲】
【請求項１】
表示パネルの背面側に配置されるバックライトと、積層された光学シートからなり、前記バックライト及び前記表示パネルの間に配置されるべき光学部材と、該光学部材の周縁部を前記バックライト側から支持する支持体と、該支持体と共に前記光学部材を挟持するために、該光学部材の周縁部を押圧する押圧体とを備えるバックライト装置において、
前記光学部材は、前記光学シート夫々の相対移動を防止するための移動止を有することを特徴とするバックライト装置。
【請求項２】
前記移動止は、前記押圧体に最も近い前記光学シートの周縁部の全周又は一部を前記支持体側へ略垂直に折り曲げて形成してあることを特徴とする請求項１に記載のバックライト装置。
【請求項３】
前記支持体は、前記光学部材の移動止と対向して、該光学部材の面に沿う方向への移動を制限する制限部を有し、該制限部の光学部材厚方向の長さは、前記光学部材の全厚を超えないことを特徴とする請求項２に記載のバックライト装置。
【請求項４】
前記押圧体は、前記光学部材を押圧する平板状の押圧部と、前記制限部に係合する係合部とを有することを特徴とする請求項３に記載のバックライト装置。
【請求項５】
表示パネルと、該表示パネルの背面側に配置された請求項１乃至４の何れか一つに記載のバックライト装置とを備えることを特徴とする表示装置。
【発明の詳細な説明】
【技術分野】
【０００１】
本発明は、液晶表示装置等の表示装置に内蔵され、バックライトと光学部材とを有するバックライト装置、及びこれを備える表示装置に関する。
【背景技術】
【０００２】
フラットな表示パネルを有する表示装置は、薄型、低消費電力という特徴により、ＣＲＴディスプレイの用途を置き換えて普及が進んでいる。また、表示装置の大型化傾向に伴って、薄型化により差別化を図る試みが活発化している。
【０００３】
表示パネルの背面側にバックライトを配置してなるバックライト装置（いわゆる直下型バックライト装置）は、バックライトと表示パネルとの間に、光学シートを積層した光学部材を保持することにより、表示品位の向上を図っている。光学部材を保持する構造として、特許文献１では、ガイド部材を用いて、光学部材の収容位置をガイドしつつ光学部材を支持する技術が開示されている。また、特許文献２には、周縁部をバックライト側に屈曲させた光学部材を、前記周縁部より内側において固定具で押圧して支持する技術が開示されている。
【特許文献１】特開２００６−２１６５４０号公報
【特許文献２】特開２００７−１１４５９０号公報
【発明の開示】
【発明が解決しようとする課題】
【０００４】
しかしながら、特許文献１に開示された技術では、ガイド部材なる別部材が必要とされる上に、バックライト装置の組立てに際して、光学部材を構成する光学シートがガイド部材を乗り越えることがないように、ガイド部材の壁部を光学部材の全厚より高くする必要があり、薄型化に限界がある。
また、特許文献２に開示された技術では、光学部材を屈曲させることにより、組立て時に光学部材を構成する光学シートが分離移動することを抑制できるものの、屈曲した光学部材の周縁部を跨ぐ形状の固定具が必要となり、固定具の装着スペースも大きくなるため、バックライト装置の薄型化及び省スペース化の妨げとなっている。
【０００５】
一方、光学部材を構成する光学シートの枚数は、バックライト装置に要求される集光特性に応じて、組立て時に変更されることがあるため、機構的に共用されるガイド部材及び固定具又はこれらに相当する部材は、光学シートの積層枚数の差異を吸収可能な構造とする必要がある。そこで、図５に示すように、バックライトシャーシ６の光学部材受部６１に、光学部材３を光学部材押え７ａで押圧して取り付ける装置が考案されている。
【０００６】
バックライトシャーシ６の制限部６２は、光学部材受部６１の外縁において略垂直に屈曲させてあり、光学部材３の端部と対向して、該光学部材３の面に沿う方向への移動を制限するものである。制限部６２の前記端部に沿う方向の長さは、光学シートの積層枚数に拘わらず光学部材３の厚さを超えるものとし、バックライト装置を組み立てる場合、光学部材３をバックライトシャーシ６に載置するときに、光学部材３を構成する光学シートが制限部６２を乗り超えないようにしてある。また、光学部材押え７ａは、光学部材３と対向する押え板部７１と、該押え板部７１の一端部から光学部材３の厚さ方向へ立ち上がる立上板部７２と、光学部材３の面に沿う方向へ延出されている結合板部７３と、制限部６２を超えて立ち下がる立下板部７４とを有し、結合板部７３の上面は、液晶パネル１を挟持する挟持部材１４と、緩衝部材１５を介して当接している。
【０００７】
上述した図５に示す装置では、立上板部７２の高さは、光学部材３を構成する光学シートの積層枚数に拘わらず、結合板部７３の下面が制限部６２の上端に当接しないようにするための値を確保する必要があり、そのために押え板部７１と挟持部材１４との間に生じる間隙が、表示装置の薄型化を阻んでいる。
【０００８】
本発明は斯かる事情に鑑みてなされたものであり、その目的とするところは、光学部材の積層された光学シート夫々の相対移動を防止するための移動止を有することにより、夫々の光学シートが独立して面方向に沿って移動することを防止することができると共に、支持部材及び押圧部材の光学部材厚方向の長さを小さくして、薄型化及び省スペース化が図れるバックライト装置及び表示装置を提供することにある。
【課題を解決するための手段】
【０００９】
本発明に係るバックライト装置及び表示装置は、表示パネルの背面側に配置されるバックライトと、積層された光学シートからなり、前記バックライト及び前記表示パネルの間に配置されるべき光学部材と、該光学部材の周縁部を前記バックライト側から支持する支持体と、該支持体と共に前記光学部材を挟持するために、該光学部材の周縁部を押圧する押圧体とを備えるバックライト装置において、前記光学部材は、前記光学シート夫々の相対移動を防止するための移動止を有することを特徴とする。
【００１０】
本発明にあっては、光学部材が移動止を有することにより、光学部材を構成する夫々の光学シートは、面に沿う方向への相対的な移動が制限される。
【００１１】
本発明に係るバックライト装置及び表示装置は、前記移動止は、前記押圧体に最も近い前記光学シートの周縁部の全周又は一部を前記支持体側へ略垂直に折り曲げて形成してあることを特徴とする。
【００１２】
本発明にあっては、押圧体に最も近い光学シートの周縁部の全周又は一部を支持体側へ略垂直に折り曲げることによって移動止を形成する。これにより、光学部材を構成する夫々の光学シートが面に沿う方向へ相対的に移動することを効果的に制限する。
【００１３】
本発明に係るバックライト装置及び表示装置は、前記支持体は、前記光学部材の移動止と対向して、該光学部材の面に沿う方向への移動を制限する制限部を有し、該制限部の光学部材厚方向の長さは、前記光学部材の全厚を超えないことを特徴とする。
【００１４】
本発明にあっては、支持体に、光学部材の移動止と対向する制限部を有し、該制限部の光学部材厚方向の長さは、光学部材の全厚を超えないようにする。これにより、前記制限部の端部が押圧体に当接することがないため、薄型化に寄与すると共に、光学部材の面に沿う方向への移動を、移動止を介して制限する。
【００１５】
本発明に係るバックライト装置及び表示装置は、前記押圧体は、前記光学部材を押圧する平板状の押圧部と、前記制限部に係合する係合部とを有することを特徴とする。
【００１６】
本発明にあっては、押圧体の平板状の押圧部が光学部材を押圧し、係合部が支持体の制限部と係合する。これにより、光学部材の面に垂直な方向へ突出する部分を有することがないため、薄型化に寄与すると共に、押圧体と支持体との相対的な位置関係が定まる。
【発明の効果】
【００１７】
本発明によれば、光学部材が移動止を有することにより、光学部材を構成する夫々の光学シートは、面に沿う方向への相対的な移動が制限される。これにより、夫々の光学シートが独立して面方向に沿って移動することを防止することができる。そのため、支持部材及び押圧部材は光学部材厚方向の長さを小さくして、薄型化及び省スペース化を図ることができる。
【発明を実施するための最良の形態】
【００１８】
以下、本発明をその実施の形態を示す図面に基づいて詳述する。
（実施の形態）
図１は、本発明に係る表示装置の外観を示す正面図、図２は、表示装置の内部構成を示す模式的な側断面図、図３は、光学部材の取付状態を示す模式的な断面図である。図中１は液晶パネルであり、液晶パネル１及びその背面側に設けられた本発明に係るバックライト装置２が、前面キャビネット４及び背面キャビネット５によって形成された空間内に配置されている。前面キャビネット４は、適宜の長さを有する側壁を備えた成型品であって、正面側に表示用の開口部４ａが設けてあり、開口部４ａを通じて液晶パネル１の画像が見えるようにしてある。
【００１９】
液晶パネル１は、前面及び背面の周縁部を２つの挟持部材１３、１４で挟持し、一方の挟持部材１４を、背面キャビネット５に固定された支持板１６で支持している。
バックライト装置２は、液晶パネル１の外寸と適合する寸法を有する図示しない支持枠、及び支持板１６に固定されている。支持枠の下部には２本の支柱が固定され、支柱の下部にスタンド２０が取り付けられている。
【００２０】
バックライト装置２は、前面が開口された略直方体状のバックライトシャーシ（箱体）６を基体とし、バックライトシャーシ６の内壁には、アルミニウムを蒸着した反射膜１２が形成されている。バックライト装置２の光源として、複数の直管状の冷陰極管（ＣＣＦＬ）８が横置き状態で並置され、バックライトシャーシ６の開口部に設けられた光学部材３を介して、自然光に近い均一な白色光が液晶パネル１に入射されるようになっている。
【００２１】
バックライトシャーシ６の周壁の開口側外縁部には、光学部材３の周縁部を背面から支持するための光学部材受部６１が設けられている。また、光学部材受部６１の外縁部には、光学部材３の面に沿う方向への移動を制限するための制限部６２が、光学部材受部６１と略垂直をなして形成されている。前記制限部６２の前方への延出長は、光学部材３の全厚より短くしてある。これにより、前記制限部６２の端部は、以下に述べる光学部材押え７と当接することがない。
【００２２】
光学部材３の周縁部には、光学部材受部６１と対向して光学部材３を挟持するための光学部材押え７が配設されている。光学部材押え７は、光学部材３を押圧する平板状の押え板部７１が、緩衝部材１５を介して挟持部材１４から押圧されている。光学部材押え７は、周縁部から背面方向へ略垂直に屈曲する係合部７４を有し、該係合部が前記制限部６２と係合することにより、光学部材押え７のバックライトシャーシ６に対する位置が定まる。
【００２３】
光学部材３は、前面から順にプリズムシート３１乃至３３、拡散シート３４、及び拡散板３５を積層してなり、積層されるシートの枚数は、表示装置に表示する画像に要求される正面輝度に応じて組立て時に増減される。プリズムシート３１は、周縁部を表示装置の背面方向へ略垂直に折り曲げてなる移動止３１１を有する。該移動止３１１の先端は、拡散板３５の端部に達するようにしてある。これにより、プリズムシート３１乃至３３、拡散シート３４及び拡散板３５は、前記移動止３１１及び前記制限部６２に対向して、面に沿う方向への移動を制限される。
【００２４】
本実施の形態では、冷陰極管８を保持する１対のクリップ９と、それらに挟設された１個の突起部１０とが一体に成型された複数のクリップ部材１１が、バックライトシャーシ６の底面全域に均等固設されている。突起部１０は、光学部材３を背面から支持して撓みを防止するものである。
尚、冷陰極管８に代えて、白色ＬＥＤ及び／又は複数色のＬＥＤを用いてもよい。
【００２５】
図４は、プリズムシート３１及び移動止３１１を模式的に示す展開図である。プリズムシート３１は、移動止３１１を除いた矩形のシート面のアスペクト比が１６対９であり、シート面外周の各辺２箇所に、移動止３１１となるべき折曲部が付加されている。移動止３１１を形成する場合は、各折曲部とシート面外周との境界にミシン目を入れて、シート面に垂直となるように折り曲げる。
尚、移動止３１１は、図中破線で示すように、シート面の全周に渡って設けるものであってもよい。
【００２６】
以上のように、本実施の形態に係る表示装置にあっては、光学部材が移動止を有することにより、プリズムシート、拡散シート及び拡散板は、面に沿う方向への相対的な移動が制限される。これにより、各シート及び拡散板が独立して面方向に沿って移動することを防止することができる。そのため、光学部材受部及び光学部材押えは光学部材厚方向の長さを小さくして、薄型化及び省スペース化を図ることができる。
【００２７】
更に、最前部のプリズムシートの周縁部をバックライトシャーシ側へ略垂直に折り曲げることによって移動止を形成する。これにより、プリズムシート、拡散シート及び拡散板が、面に沿う方向へ相対的に移動することを効果的に制限する。
つまり、各シート及び拡散板が、面に沿う方向へ相対的に移動することを効果的に制限する、という目的を達することもできる。
【００２８】
更に、バックライトシャーシの光学部材受部に、光学部材の移動止と対向する制限部を有し、該制限部の光学部材厚方向の長さは、光学部材の全厚を超えないようにする。これにより、前記制限部の端部が光学部材押えに当接することがないため、薄型化に寄与すると共に、光学部材の面に沿う方向への移動を、移動止を介して制限する。
つまり、薄型化を図ると共に、光学部材の面に沿う方向への移動を制限する、という目的を達することもできる。
【００２９】
更に、光学部材押えの押え板部が光学部材を押圧し、係合部がバックライトシャーシの光学部材受部の制限部と係合する。これにより、光学部材の面に垂直な方向へ突出する部分を有しないため、薄型化に寄与すると共に、光学部材押えとバックライトシャーシとの相対的な位置関係が定まる。
つまり、薄型化を図ると共に、光学部材押えとバックライトシャーシとの相対的な位置関係が定まるようにする、という目的を達することもできる。
【図面の簡単な説明】
【００３０】
【図１】本発明に係る表示装置の外観を示す正面図である。
【図２】表示装置の内部構成を示す模式的な側断面図である。
【図３】光学部材の取付状態を示す模式的な断面図である。
【図４】プリズムシート及び移動止を模式的に示す展開図である。
【図５】従来の光学部材の取付状態を示す模式的な断面図である。
【符号の説明】
【００３１】
１    液晶パネル
２    バックライト装置
３    光学部材
３１、３２、３３  プリズムシート（光学シート）
３１１  移動止
３４  拡散シート（光学シート）
３５  拡散板
６    バックライトシャーシ
６１  光学部材受部
７、７ａ  光学部材押え
７１  押え板部
８    冷陰極管
【図１】
2009026611.tif 000003
【図２】
2009026611.tif 000004
【図３】
2009026611.tif 000005
【図４】
2009026611.tif 000006
【図５】
2009026611.tif 000007